(57)【要約】【課題】テールコードの揺れを簡易な構造で制振することのできるエレベータテールコードの制振装置の提供。【解決手段】昇降路１を昇降する乗りかご２と、昇降路１に立設されるガイドレールと、このガイドレールに摺接し、乗りかご２の昇降を案内するガイド体４と、一端が乗りかご２に接続される共に、他端が昇降路壁側に接続されて下端にＵ字形をなして昇降路１内に垂下するテールコード６とを備えたエレベータ装置にあって、乗りかご２下部におけるガイド体４近傍に配置され、テールコード６を囲う枠体１１を有してなる制振機構７により、テールコード６の振動を抑制するようにしたものである。【選択図】図１
2014097870.tif 000002
【特許請求の範囲】
【請求項１】
昇降路を昇降する乗りかごと、前記昇降路に立設されるガイドレールと、このガイドレールに摺接し、前記乗りかごの昇降を案内するガイド体と、一端が前記乗りかごに接続される共に、他端が昇降路壁側に接続されて下端にＵ字形をなして前記昇降路内に垂下するテールコードとを備えたエレベータ装置にあって、前記テールコードの振動を制振機構により抑制するエレベータテールコードの制振装置において、
前記制振機構は、前記乗りかご下部における前記ガイド体近傍に配置され、前記テールコードを囲う枠体からなることを特徴とするエレベータテールコードの制振装置。
【請求項２】
前記枠体は、前記テールコードとの摺接位置にローラを備えたことを特徴とする請求項１記載のエレベータテールコードの制振装置。
【発明の詳細な説明】
【技術分野】
【０００１】
本発明は、エレベータテールコードの制振装置に関する。
【背景技術】
【０００２】
エレベータにあっては、昇降路内を上下に移動する乗りかごと昇降路壁との間に、制御線や電力線を束ねて構成するテールコードが設けられている。そして、近年、建築物の高層化に伴い、地震や強風等によりテールコードが大きく振れる現象が見られ、特に、建築物の揺れの周期とテールコードの振れの周期が同期すると、共振してテールコードが大きく振れ、このテールコードが乗りかご廻り機器に引っ掛かり、テールコードや乗りかご廻り機器が損傷する危険性がある。そこで、このテールコードの制振を行う背景技術として、特開平６−３２１４５７号公報（特許文献１）がある。この公報には、一端を昇降路内を昇降する昇降機に設けられた支持体に支持され、他端を前記昇降路の壁面に設けられた支持体に支持されて下端にＵ字形をなして昇降路内に垂下するテールコードの振動を、昇降路壁面に配置された制振体によって抑制する昇降機のテールコードの制振装置において、前記制振体は、垂下しているテールコードの両側面に沿う方向に、かつ該テールコードと所定の間隔をおいて配置されるとともに、昇降路壁面から該壁面に対してほぼ垂直にテールコードよりも昇降路壁面から遠い位置にまで突出するすくなくとも２個の平行な板状部を含んで形成されている、と記載されている。
【先行技術文献】
【特許文献】
【０００３】
【特許文献１】特開平６−３２１４５７号公報
【発明の概要】
【発明が解決しようとする課題】
【０００４】
しかしながら、前述したものでは、昇降路壁面側に配置される複数の制振体、及び乗りかご下から延設されるテールコードを昇降路壁面に沿わせるための支持体やスチールコードが必要となり、長行程のエレベータに適用すると、据付け作業に手間がかかると共に、コストの向上を招くという課題があった。
【０００５】
本発明は、前述した従来技術における実状からなされたもので、その目的は、テールコードの揺れを簡易な構造で制振することのできるエレベータテールコードの制振装置を提供することにある。
【課題を解決するための手段】
【０００６】
前記目的を達成するために、本発明は、昇降路を昇降する乗りかごと、前記昇降路に立設されるガイドレールと、このガイドレールに摺接し、前記乗りかごの昇降を案内するガイド体と、一端が前記乗りかごに接続される共に、他端が昇降路壁側に接続されて下端にＵ字形をなして前記昇降路内に垂下するテールコードとを備えたエレベータ装置にあって、前記テールコードの振動を制振機構により抑制するエレベータテールコードの制振装置において、前記制振機構は、前記乗りかご下部における前記ガイド体近傍に配置され、前記テールコードを囲う枠体からなることを特徴としている。
【０００７】
このように構成した本発明では、地震や強風の加振方向に影響されたテールコードの水平面内の振動方向は、一方向ではなく二方向に振れるが、乗りかご下部におけるガイド体近傍に、テールコードを囲う枠体からなる制振機構を設けたことにより、テールコードが振動してもテールコードはその枠体に当接し、それ以上の振動が抑制され、特にガイド体に引っ掛かることを防止することができる。
【発明の効果】
【０００８】
本発明によれば、乗りかご下部におけるガイド体近傍に配置され、テールコードを囲う枠体からなる制振機構を設けたことにより、テールコードが振動してもテールコードは枠体に当接し、それ以上の振動が抑制され、特にガイド体に引っ掛かることを防止することができ、地震や強風等で建築物が揺れた際に、エレベータが不稼働となる事態を低減することができる。また、制振機構は乗りかご側に設けた枠体であることから、簡易な構造とすることができ、これによって、昇降路壁面側に複数の機器を配置することを要さず、したがって、据付け作業にかかる手間、及びコストの低減を図ることができる。
【図面の簡単な説明】
【０００９】
【図１】本発明に係るエレベータテールコードの制振装置の一実施例を示す側面図である。
【図２】図１の制振装置が取付けられる乗りかご下部の正面図である。
【図３】図１の制振装置の要部平面図である。
【発明を実施するための形態】
【００１０】
以下、本発明に係るエレベータテールコードの制振装置の実施例を図に基づき説明する。
【実施例１】
【００１１】
エレベータ装置は、図１及び図２に示すように、昇降路１を昇降する乗りかご２と、昇降路１に立設されるガイドレール３と、このガイドレール３に摺接し、乗りかご２の昇降を案内するガイド体４と、ガイド体４の上方に配置され、乗りかご２が所定の過速度になったときにガイドレール３に摺動して乗りかご２を非常停止する非常停止装置５と、一端が乗りかご２に接続される共に、他端が昇降路壁側に接続されて下端にＵ字形をなして昇降路１内に垂下するテールコード６と、テールコード６の振動を抑制する制振機構７とを有している。
【００１２】
ガイドレール３は、図２に示すように、乗りかご２の両側に対となって配置されている。なお、ガイドレール３は、図１にて割愛されている。
【００１３】
ガイド体４は、対となるガイドレール３に対応するように乗りかご２の両側に設けられており、図１に示すように、乗りかご２下部に固定される取付け台８に支持され、それぞれのガイド体４は、ガイドレール３の三方に摺動する３つのローラ９を備えている。
【００１４】
制振機構７は、ガイド体４の取付け台８から延設される水平ブラケット９と、この水平ブラケットに支持される垂下ブラケット１０と、この垂下ブラケット１０に取付けられ、テールコード６の四方を囲う枠体１１とからなっている。枠体１１のそれぞれの辺には、図３に示すように、枠体１０に支持されるシャフト１２と、このシャフト１２に回転自在に取付けられるローラ１３とを備えている。
【００１５】
地震や強風等の影響で、建築物の揺れの周期とテールコード６の振れの周期が同期し、共振してテールコード６が大きく振れた際、一般に、テールコード６の水平面内の振動方向は、一方向ではなく二方向に振れる。しかし、本実施例にあっては、乗りかご２下部におけるガイド体４近傍に、テールコード６を囲う枠体１１を有してなる制振機構７を設けたことにより、テールコード６が振動してもテールコード６は枠体１１に当接し、それ以上の振動が抑制される。特に、従来、テールコード６の近傍に設置され、回転体であるローラ９を有するガイド体４にテールコード６が引っ掛かる恐れが高かったが、これを確実に防止する。また、テールコード６が枠体１１に当接する際、枠体１１に配置されたローラ１３が回動しながらテールコード６に接触することから、テールコード６が摩擦により損傷することを防止する。
【００１６】
本実施例によれば、乗りかご２下部におけるガイド体４近傍に配置され、テールコード６を囲う枠体１１を有する制振機構７を設けたことにより、テールコード６が振動してもテールコード６は枠体１１に当接し、それ以上の振動が抑制され、特にガイド体４に引っ掛かることを防止することができ、地震や強風等で建築物が揺れた際に、エレベータが不稼働となる事態を低減することができる。また、制振機構７は乗りかご２側に設けた枠体１１を主な構成要素としていることから、簡易な構造とすることができ、これによって、昇降路壁面側に複数の機器を配置することを要さず、したがって、据付け作業にかかる手間、及びコストの低減を図ることができる。さらに、枠体１１は、テールコード６との摺接位置にローラ１３を備えていることから、テールコード６が枠体１１に当接する際、ローラ１３が回動しながらテールコード６に接触し、これによって、テールコード６が摩擦により損傷することを防止することができる。
【００１７】
なお、本発明は前述した実施例に限定されるものではなく、様々な変形例が含まれる。例えば、前述した実施例は本発明を分かりやすく説明するために詳細に説明したものであり、必ずしも説明した全ての構成を備えるものに限定されるものではない。また、実施例の構成の一部について、他の構成の追加・削除・置き換えをすることが可能である。
【符号の説明】
【００１８】
１  昇降路
２  乗りかご
３  ガイドレール
４  ガイド体
６  テールコード
７  制振機構
９  水平ブラケット
１０  垂下ブラケット
１１  枠体
１２  シャフト
１３  ローラ
【図１】
2014097870.tif 000003
【図２】
2014097870.tif 000004
【図３】
2014097870.tif 000005